(57)【要約】  ユニバーサル識別に基づくプレイリスト抽出が提供される。プレイリスト上の選択されたエントリが特定される（Ｓ２）。エントリのユニバーサルな一意的メディア識別が抽出され（Ｓ３）、ユニバーサル識別に基づき、選択されたコンテンツアイテムを格納するメディアが特定され（Ｓ５）、プレイリストの選択されたエントリに対応するコンテンツデータが、例えば、リモートサーバなどからネットワークを介し抽出され（Ｓ７）、格納（Ｓ８）又は出力（Ｓ９）される。ユニバーサル識別は、コンテンツデータからハッシュアルゴリズムを利用して生成可能であり、ハッシュテーブルが、リモートサーバによってユニバーサル識別に基づきコンテンツデータを特定するのに利用可能である。
2008532120.tif 000002
【特許請求の範囲】
【請求項１】
プレイリスト上において選択されたエントリを特定するステップと、
前記エントリに係るコンテンツデータを一意的に特定する前記エントリのユニバーサル識別を抽出するステップと、
前記ユニバーサル識別に基づき、メディアストレージサーバから前記コンテンツデータを抽出するステップと、
前記コンテンツデータを出力するステップと、
を有するプレイリストコンテンツ抽出方法。
【請求項２】
前記メディアストレージサーバは、ハッシュアルゴリズムによって前記ユニバーサル識別に基づき前記コンテンツデータを特定する、請求項１記載の方法。
【請求項３】
前記メディアストレージサーバは、ハッシュテーブルを参照することにより前記ユニバーサル識別に基づき前記コンテンツデータを特定する、請求項１記載の方法。
【請求項４】
前記ユニバーサル識別は、ハッシュ関数を前記コンテンツデータに適用することによって取得される、請求項１記載の方法。
【請求項５】
前記出力するステップは、前記コンテンツデータのローカルストレージへの格納及び前記コンテンツデータのローカル出力装置へのストリーミングの少なくとも１つにより実行される、請求項１記載の方法。
【請求項６】
前記コンテンツデータは、ネットワークを介し前記メディアストレージサーバから抽出される、請求項１記載の方法。
【請求項７】
前記コンテンツデータは、音声データを有する、請求項１記載の方法。
【請求項８】
前記ユニバーサル識別に基づき前記メディアストレージサーバを特定するステップを有する、請求項１記載の方法。
【請求項９】
前記ユニバーサルＩＤに基づき抽出されるメタデータが、前記コンテンツデータを抽出するため、前記メディアストレージサーバに提供される、請求項１記載の方法。
【請求項１０】
プレイリスト上の選択されたエントリを特定するよう構成されるプレイリストプロセッサと、
前記エントリに係るコンテンツデータを一意的に識別する前記エントリのユニバーサル識別を抽出するよう構成されるエントリ情報抽出装置と、
前記ユニバーサル識別に基づき前記コンテンツデータを抽出するよう構成されるサーバインタフェースと、
前記コンテンツアイテムを出力するよう構成される出力と、
を有するプレイリストコンテンツ抽出システム。
【請求項１１】
メディアストレージサーバは、ハッシュアルゴリズムによって前記ユニバーサル識別に基づき前記コンテンツデータを特定する、請求項１０記載のサーバ。
【請求項１２】
前記メディアストレージサーバは、ハッシュテーブルを参照することにより前記ユニバーサル識別に基づき前記コンテンツデータを特定する、請求項１０記載のサーバ。
【請求項１３】
前記出力は、前記エントリに係るコンテンツデータをローカルストレージに格納する、請求項１０記載のシステム。
【請求項１４】
前記出力は、前記コンテンツデータをローカル出力装置にストリーミングする、請求項１０記載のシステム。
【請求項１５】
前記コンテンツデータは、ネットワークを介しメディアストレージサーバから抽出される、請求項１０記載のシステム。
【請求項１６】
前記コンテンツデータは、音声データを有する、請求項１０記載のシステム。
【請求項１７】
前記メディアターゲット関連付け装置は、前記ユニバーサル識別に基づき前記メディアストレージサーバを特定する、請求項１０記載のシステム。
【請求項１８】
前記コンテンツデータを格納するメディアストレージサーバを特定するよう構成されるメディアターゲット関連付け装置を有する、請求項１０記載のシステム。
【発明の詳細な説明】
【技術分野】
【０００１】
本発明は、プレイリストのために選択された楽曲、音声データ又は映像情報などのコンテンツアイテムの抽出と、ユニバーサルな一意的コンテンツ識別とに関する。
【背景技術】
【０００２】
近年における楽曲や音楽を表すコンテンツアイテムや音楽のデジタル表現の出現は、もはやレコードレーベルにより発行されたアルバムにグループ化される必要がある。ユーザは、音楽を構成、共有、格納及び再生する手段としてますますプレイリストを求めるようになっている。このようなプレイリストは、ユーザの音楽嗜好及び選好を表し、ユーザが特定の機会のため、他のユーザと共有するため、特定のモードを実現するためミックスした楽曲を編集することを可能にし、ユーザの選好によって決定されるような一般的なテーマ、アーチスト又はジャンルを中心とした構成を可能にする。
【０００３】
しかしながら、インターネットの出現によって、ユーザはもはや自らのメディアプレーヤー又はパーソナルデータベースにローカルに格納されている音楽セレクションに制限されない。ユーザは、プレイリストに音楽エントリをローカルに格納する必要なく、プレイリストを編集することが可能である。さらに、パーソナルコンピュータのハードドライブ及び他のタイプの記憶媒体を含む記憶装置及びデータベースの記憶容量は、近年急速に増大してきており、これによりユーザがより大きくより長いプレイリストを編集することを可能にする。
【０００４】
メディアプレーヤー上で再生のためリモートに格納されている音楽を抽出するシステムが創作されてきた。Ｑｕｒｅｓｈｅｙらによる米国特許出願公報第２００２／０００２０３９号は、ユーザのインターネットパーソナルオーディオネットワークにおける装置のリストがそれに関連する楽曲により生成されるように、ディスクファイル、ＣＤ、インターネットストリーミング音声配信、オンライン音楽サイト及び他の音声ソースからのプレイリストをユーザが構成可能なネットワーク対応音声装置を開示している。Ｏ‘Ｒｏｕｒｋｅらによる米国特許出願公報第２００３／００２８５０５号は、エントリに基づいてストリーミングメディアコンテンツサーバが、メディアコンテンツとソースを示すＵＲＬ又は他のリファレンスを利用し、それに基づき、メディアコンテンツが要求元のコンピュータにストリーミングを返すように、コンテンツと特定のプレイリストとを関連付けるサービスのためのストリーミングメディアを開示している。Ｓｐｒｉｎｇｅｒ  Ｊｒ．らによる米国特許出願公報第２００４／００３４６５０号は、各論理識別子に対応するタイプと共に、各レコードの一意的な論理識別子を格納するメディア識別子レジストリであって、これにより、各データプロバイダからの同一のコンテンツ部分を一意的に識別するメディアデータウェアハウスの構築を可能にするメディア識別子レジストリを開示する。
【０００５】
さらに、楽曲抽出のための各種スキームが存在する。Ｐｌａｔｔによる米国特許公報第２００３／０２２１５４１号は、“所望されないシード”楽曲を含む複数のシード楽曲がプレイリスト上に楽曲を生成するため利用される自動プレイリスト生成装置を開示している。Ｃｌｕｔｓによる米国特許第５，６１６，８７６号は、エディタにより以前に記述された各楽曲の“スタイルラベル”に基づく第１楽曲セットに類似したさらなる楽曲の選択を開示する。しかしながら、これらのリファレンスの何れも、ユニバーサルな識別に基づきプレイリスト上のエントリに対応するコンテンツアイテムの抽出を開示していない。
【０００６】
またもちろん、ユーザが楽曲などの所望のコンテンツアイテムを抽出することが可能であるが、コンテンツアイテムを特定しようとすることは、特にアイテムの位置がユーザによりわからない場合には、時間のかかる面倒な作業となる可能性がある。
【発明の開示】
【発明が解決しようとする課題】
【０００７】
プレイリスト抽出の機能を実現又は実行する方法、システム、デバイス、装置及びコンピュータ可読媒体が提供される。
【課題を解決するための手段】
【０００８】
まず、プレイリスト上で選択されたエントリが特定される。コンテンツデータ媒体を一意的に識別する当該エントリのユニバーサルな識別が抽出される。このユニバーサル識別に基づき、選択されたコンテンツデータを格納するリモートサーバなどの媒体が特定される。記憶媒体からコンテンツデータが抽出され、出力されるかもしれない。
【０００９】
この出力は、ローカルストレージ上のエントリに係るコンテンツアイテムを格納し、及び／又はスピーカー及び／又は画像ディスプレイなどの再生装置にデータをストリーミングすることによって行われるかもしれない。
【００１０】
さらに、コンテンツアイテムが、ネットワークを介しデータベースから抽出されてもよい。
【００１１】
メディアストレージサーバは、ハッシュテーブルを参照して又はハッシュアルゴリズムによってユニバーサル識別に基づきコンテンツデータを識別することが可能である。
【００１２】
ユニバーサル識別は、ハッシュ関数をコンテンツデータに適用することによって取得されるかもしれない。
【００１３】
コンテンツデータは、音声データ、又はピクチャ、ビデオデータ、ドキュメント、テキストファイルなどの他のタイプのコンテンツを有するかもしれない。
【発明を実施するための最良の形態】
【００１４】
以下の説明及び上記図面は、発明者によって現在最良に理解されるような出願人の発明の実施例を記載するが、本発明の多数の改良が可能であり、本発明がその趣旨から逸脱することなく他の方法により実践され、他の形式により実現可能であることは理解されるであろう。さらに、記載される実施例のいくつかの特徴が、本発明の趣旨から逸脱することなく、省略され、他の実施例と選択的に又は全体的に組み合わされ、又は他の実施例の特徴若しくはその一部を置換するのに利用可能である。従って、図面及び詳細な説明は、本発明の特徴の例示的説明として考慮されるべきであるが、本発明の範囲を限定するものとして解釈されるべきでない。
【００１５】
図１に示されるように、抽出装置１−１は、後述されるいくつかのモジュールを有する。抽出システム１−１の各モジュール若しくはそれらの一部及び／又は抽出システム全体は、ハードウェア、ソフトウェア、ファームウェア若しくは上記の組み合わせから構成されてもよいが、一部のモジュールはハードウェアなどから構成され、他のモジュールはソフトウェア、ファームウェア若しくはそれらの組み合わせから構成されてもよい。さらに、抽出システムのすべてのモジュールが同一の装置に配置又は統合される必要がないことは理解されるであろう。分散化されたアーキテクチャはまた、システム又はそのコンポーネントが既存の装置によって提供される適切なモジュールから“ピギーバック（ｐｉｇｇｙ−ｂａｃｋ）”可能となるように、抽出システムに対して想定されるかもしれない。
【００１６】
以下の説明は、有線若しくは無線接続を介しデータベース１−２に物理的に一体化又は接続される抽出装置１−１について言及する。抽出装置及び／又はデータベース１０２は、ＭＰ３プレーヤー、ＣＤ若しくはミニディスクプレーヤー、データカートリッジプレーヤー、ホームエンターテイメントシステム、携帯エンターテイメント装置、パーソナルコンピュータのハードドライブ、パーソナルビデオレコーダ、エンターテイメントシステム、電子オーガナイザ、パーソナル携帯装置、ジャズドライブなどの装置に物理的に一体化又は接続されて実現されてもよく、又はディスクドライブなどの市販のストレージ装置として実現されてもよい。データベース１−２は、接続された複数の記憶装置を有し、当該装置の２以上におけるコンテンツアイテムの構成又はグループ化が可能となるようにされてもよい。さらに、データベースは、データベース１−２にロード及び抽出可能なＣＤ、ＤＶＤ、ｚｉｐディスク、フロッピー（登録商標）ディスク、データカートリッジなどの１以上の記憶媒体を含むと理解されることは理解されるであろう。しかしながら、抽出装置１−１はまた、ＬＡＮ、ＷＡＮ、インターネットなどのネットワーク１−４を介しリモートストレージ（図示せず）にコンテンツを格納可能であることは理解されるであろう。本発明の特徴がプレイリストのエントリにより参照される音声コンテンツアイテム又は楽曲を参照して説明されるが、本発明は、音楽プレイリストに限定されず、ビデオ、フォト、テキストファイル、スプレッドシート、ｈｔｍｌ、ｘｍｌ、マルチメディア若しくは他のタイプのファイル、ドキュメント、コンテンツ若しくはデータ、又は上記のいくつかの組み合わせなどの他のタイプのコンテンツアイテムをエントリとして含むプレイリストを含むかもしれない。
【００１７】
図１は、メディアプレーヤー１０３とのインタフェースを提供するプレイリストプロセッサ１−１１を含む複数のモジュールを有する抽出装置１−１を示す。抽出装置１−１は、メディアプレーヤー１−３に物理的に一体化若しくは接続されるか、又は有線若しくは無線接続を介し接続されてもよい。抽出装置１−１は、プレイリストプロセッサ１−１１により処理されるメディアプレーヤー１−３からプレイリストに関する情報を受信することによってメディアプレーヤー１−３とのインタフェースを提供し、プレイリスト上の選択されたエントリを特定する。抽出装置１−１はさらに、プレイリストの選択されたエントリに係るユニバーサル識別を抽出するユニバーサル識別抽出装置１−１２と、抽出されたユニバーサル識別に基づき又は他の方法によって、プレイリストの選択されたエントリによって参照されるコンテンツデータが格納されるメディアストレージサーバ１−６１などの記憶媒体を特定するメディアターゲット関連付け装置１−１４と、コンテンツデータに対するリクエストを特定されたメディアストレージサーバ１−６１に送信するサーバインタフェース１−１５とを有する。
【００１８】
メディアストレージサーバ１−６１は、リクエストされた楽曲などのコンテンツデータを格納又は特定し、それに応じて、リクエストされた音声コンテンツファイルを有するコンテンツデータベース１−６２がメディアストレージサーバ１−６１によりアクセスされ、リクエストされたコンテンツデータがネットワーク１−４を介しサーバインタフェース１−１５に返される。ユニバーサル抽出装置１−１はさらに、メディアプレーヤー１−３に接続されるスピーカー１−３１から音声を発生させ、及び／又はプレイリストエントリに係るデータベース１−２の抽出されたコンテンツデータを格納するため、ストリーミングデータなどによって抽出したコンテンツデータをメディアプレーヤー１−３に提供する出力１−１６を有する。スピーカー１−３１として示されているが、この出力ノードはさらに、スピーカーに加えて若しくは代わりに、映像若しくは他の視覚情報若しくはコンテンツの再生のため画像ディスプレイを有するかもしれない。コントローラ１−１７は、抽出装置１−１の機能全体を調整し、コマンドを受け付け、状態情報をディスプレイ（図示せず）に送信することによって、ユーザインタフェース（図示せず）などの抽出装置１−１の外部の１以上の装置とやりとりするようにしてもよい。
【００１９】
抽出装置により編集されるプレイリストは、動画若しくはその一部、フォトデータ、テキストファイル、他のタイプのマルチメディアデータ、ＪＰＥＧファイル、ＭＰＥＧ（ＭＰＥＧ−２、ＭＰＥＧ−３などを含む）若しくはＸＭＬデータを有するデータ、映像データ、音楽若しくは音声データ、１以上の楽曲などのコンテンツアイテムを有するかもしれない。音楽データは、１以上のＭＰ３ファイルなどを有するかもしれない。
【００２０】
図１及び２を参照して、本発明の実施例による抽出装置１−１の処理が説明される。図２のＳ１において、プレイリストのエントリに係るコンテンツアイテムを抽出する処理が開始される。例えば、ユーザ（図示せず）は、関連するメタデータ又は他のエントリ記述データを有する楽曲タイトルなどを含む各エントリから構成されるプリリストを編集し、エントリがタイトルとメタデータを含む楽曲についてのコンテンツデータを抽出することを所望するかもしれない。図２のＳ２において、プレイリストの選択されたエントリが、プリリストプロセッサ１−１１により特定される。
【００２１】
エントリは、ユーザにより入力可能なユニバーサル識別を有するか、又はメタデータ若しくは他の関連情報と共に含まれるかもしれない。
【００２２】
本発明の実施例によると、ユニバーサルに一意的なＩＤが、デジタルコンテンツから決定することが可能であり、これにより、これは同一のユニバーサルＩＤが同一の楽曲をもたらし、同一の楽曲が同一のユニバーサルＩＤをもたらすかもしれない。例えば、リストが１以上のメタデータ部分を含む場合、楽曲データなどのアイテムのコンテンツデータとユニバーサルＩＤは以下のようになる。
【００２３】
【表１】
2008532120.tif 000003
３つの楽曲のうち、２つ（楽曲１及び楽曲３）は同じメタデータを有し、他の２つの楽曲（１及び２）は同一の楽曲データを有する。この場合、楽曲１及び２のコンテンツデータは同一の一意的ＩＤを生じさせるべきである。
【００２４】
本発明の実施例によると、ユニバーサルＩＤが、抽出装置１−１以外のサイトにおけるコンテンツデータに基づき生成される。さらに、この生成は、異なる楽曲が異なるユニバーサルＩＤを取得する傾向があり、同一のユニバーサルＩＤが同一の楽曲をもたらすように行われる。しかしながら、本発明の一特徴によると、これがユニバーサルＩＤの衝突を発生させないことを１００％保証するものではないが（複数のコンテンツアイテムがハッシュ値を生じさせる）、ハッシュ処理がこのために利用される。一般に、ハッシュ関数の所望される特性は、Ｈ（ｘ）≠Ｈ（ｙ）がｘ≠ｙを意味し、Ｈ（ｘ）＝Ｈ（ｙ）がおそらくｘ＝ｙであることを意味することである。しかしながら、ＳＨＡ−１又はＭＤ５などの良好なハッシュアルゴリズムによると、衝突の確率は極めて低い。
【００２５】
本発明の特徴によると、ハッシュ値を取得する際、すべてのコンテンツデータ又は指定された時間の所与のインターバルにおいてサンプリングされるようなすべてのコンテンツデータが利用可能である。
【００２６】
本発明の特徴によると、プレイリストは、ユニバーサルＩＤと、おそらくコンテンツ実データ（楽曲データを有するデータなど）でない他のメタデータとを含むエントリを有する。その後、コンテンツアイテムを一意的に識別するユニバーサルＩＤが、選択されたエントリについて抽出され、コンテンツデータが抽出される。
【００２７】
さらに、ユニバーサルＩＤが、エントリに含まれるメタデータに基づきネットワーク１−４を介しサーバ１−５、ローカルデータベース１−２又はメディアプレーヤー１−３から抽出装置１−１により自動的に特定又は抽出されるかもしれない。例えば、サーバ１−５は、プレイリストの選択されたエントリに係る他の情報又はメタデータに基づきユニバーサル識別を提供するかもしれない。
【００２８】
本発明の実施例によると、各エントリは、メタデータや利用履歴データなどの記述情報を含むかもしれない。このような記述データは、以下の何れか１以上、すなわち、タイトル、音楽、音声、映像、フォト、テキストファイルなどのデータタイプを含むコンテンツタイプ、ジャズ音楽、１９５０年代、休日の映画、個人風景写真などのコンテンツスタイル若しくはジャンル、アイテムの作成時間及び／又は場所、アイテムの取得時間及び／又は場所、最後／最初／最後から２番目などのアイテムの利用履歴、再生及び／又は編集時間、場所及び／又はコンテクスト、アイテムの作成場所、アイテム取得場所、最後の使用場所、エントリに係るアーチスト若しくは演奏者などを有するかもしれない。
【００２９】
エントリに関するさらなる記述データが他のソースから特定され、プレイリストに係るインデックス若しくはデータベース管理ファイルから、データベース１−２に係るインデックス若しくはデータ管理ファイルから、又は有線若しくは無線接続を介し抽出装置１−１に接続されるワールド・ワイド・ウェブを含むネットワーク１−４などの外部ソースからを含む各種方法により抽出されてもよい。例えば、プレイリストのエントリにすでに含まれていない場合には、ローカルデータベースの他の部分から、又はエントリにおいて利用可能な情報に基づく外部ソースからユニバーサルＩＤを抽出することが可能であるかもしれない。また、ユニバーサルメディアＩＤを取得するのに必要な追加的な記述データが、上述した抽出されたエントリ情報に基づき、ローカルデータベース１−２かた又はネットワーク１−４を介しサーバ１−５から抽出されるかもしれない。
【００３０】
図２のＳ４において、ユニバーサルＩＤに対応するコンテンツデータが抽出されるべきストレージメディアについて、ＵＲＬ（Ｕｎｉｖｅｒｓａｌ  Ｒｅｓｏｕｒｃｅ  Ｌｏｃａｔｏｒ）、リンクなどが決定される。このＵＲＬは、ホームエンターテイメント装置のメーカー又は販売者により維持されるコンテンツのデータベースなどの専用のリモートデータベースのためのものであってもよく、又はリモートデータベースがユニバーサルＩＤに基づくコンテンツデータを供給するように、音楽がウェブを介し提供されるマーチャントなどの公衆にアクセス可能なリモートデータベースであってもよい。さらに、ユニバーサルＩＤに基づき、コンテンツアイテムが格納されているメディアストレージサーバ１−６１にＵＲＬ、リンク、アドレスなどを提供するサーバ１−５などの仲介サーバが存在してもよい。あるいは、このタスクは２段階で実行されてもよく、まずサーバ１−５がメディアストレージサーバ１−６１のためのＵＲＬを提供可能であり、その後にサーバ１−５又は他のサーバ若しくはデータベース（図示せず）が、コンテンツアイテムを取得するため、ユニバーサルＩＤに基づきメディアストレージサーバ１−６１をインデックスするメタデータを提供することが可能である。さらに、メディアターゲット関連付け装置１−１４は、コンテンツデータに係るキーイング（ｋｅｙｉｎｇ）情報を決定するためのルックアップテーブルを含むサーバ１−５をネットワーク１−４を介し参照することによって、所望の楽曲又はコンテンツアイテムを含むメディアストレージサーバ１−６１を検出してもよく、コンテンツデータに係るキーイング情報に基づき、メディアストレージサーバ１−６１が決定されてもよい。
【００３１】
Ｓ５において、メディアストレージサーバ１−６１が、ネットワーク１−４を介しコンタクトされる。あるいは、メディアターゲット関連付け装置１−１４が、ユニバーサル識別に基づき、コンテンツアイテムがデータベース１−２などのローカルソース又はメディアプレーヤー１−３からより便利に抽出可能であると判断するかもしれない。
【００３２】
Ｓ６において、サーバインタフェース１−１５は、ユニバーサルメディアＩＤをメディアストレージサーバ１−６を提供し、Ｓ７において、メディアストレージサーバ１−６は、コンテンツデータをサーバインタフェース１−１５に返す。メディアストレージサーバ１−６１は、所望されるコンテンツアイテムを自ら格納してもよく、コンテンツアイテムを格納する音声コンテンツデータベース１−６２に接続されてもよい。
【００３３】
あるいは、サーバ１−５は、ユニバーサルＩＤにより参照されるコンテンツアイテムを決定し、ＵＲＬをメディアターゲット関連付け装置１−４に提供するか、又はユニバーサルＩＤに基づきサーバ１−５により提供されるメタデータ若しくは非ユニバーサルＩＤに基づきコンテンツアイテムのコンテンツデータを提供する固有のメディアストレージサーバ１−６１に抽出装置１−１を導くことが可能である。このように、メディアストレージサーバ１−６１へのロードが低減され、メディアストレージサーバは、ユニバーサルコンテンツＩＤの処理を心配する必要がない。
【００３４】
Ｓ７において、コンテンツデータがサーバインタフェース１−１５により受け付けされる。ユニバーサルＩＤがコンテンツデータから取得された形式に関係なく、コンテンツデータは圧縮形式によりサーバインタフェース１−１５に送信可能であるということが理解されるであろう。
【００３５】
Ｓ８において、出力１−１６がコンテンツアイテムを提供する。出力１−１６は、Ｓ８において示されるように、エントリ情報が抽出されたプレイリストのエントリ及びプレイリストに係るデータベース１−２にコンテンツデータを格納し、コンテンツアイテムをストレージに出力する。その後、プレイリストの残りのコンテンツアイテムと共にコンテンツアイテムが再生又は利用されてもよい。また、出力１−１６は、メディアプレーヤー１−１６にストリーミングすることによって、メディアプレーヤーにコンテンツアイテムを提供し、これにより、メディアプレーヤー１−３はスピーカー１−３１によってコンテンツデータを出力するようにしてもよい。これはＳ９に示され、コンテンツアイテムはメディアプレーヤーに出力される。ユーザにより指示されるように、プレイリスト生成モードにおいてデフォルトとして設定されるように、又は抽出装置１−１において設定されるように、Ｓ８及びＳ９の何れか又は両方が実行可能であることが理解されるであろう。例えば、コンテンツデータの抽出及び出力成功、抽出のための許容時間の経過、ユーザによる抽出のキャンセルなどに応答して、Ｓ１０において処理が中止される。
【００３６】
上述した説明において提供される本発明の実施例は、単なる例示のためのものである。しかしながら、本発明の範囲は請求項により提供されることは理解されるであろう。
【図面の簡単な説明】
【００３７】
【図１】図１は、本発明の実施例による抽出装置の概略図である。
【図２】図２は、本発明によるシステムの処理を示すフローチャートである。
【図１】
2008532120.tif 000004
【図２】
2008532120.tif 000005
【国際調査報告】
2008532120.tif 000006
2008532120.tif 000007